(57)【特許請求の範囲】
【請求項１】
遊技機用基盤ボックスを遊技機側の取付台部に取り付けるための取付構造であって、
前記遊技機用基盤ボックス又は取付台部に突設した回転軸と、
取付台部又は遊技機用基盤ボックスに設けられ前記回転軸を往復移動自在に支持する誘導路と、
前記回転軸を誘導路内に出し入れするために該誘導路の途中の位置に開設した切り口と、
遊技機用基盤ボックスを取付台部上のセット位置に固定するロック手段と、を有し、
前記回転軸を誘導路に嵌めた状態でその回転軸を中心として遊技機用基盤ボックスを片開きドア状に回動させ得るようにすると共に、前記回転軸と誘導路の相対運動により遊技機用基盤ボックスをセット位置から遊技板の外方向に横移動させ得るようにしたことを特徴とする遊技機用基盤ボックスの取付構造。
【請求項２】
遊技板と、
該遊技板の裏面に設けた防塵カバーと、
遊技機用基盤ボックスと、
該遊技機用基盤ボックスを取り付ける遊技機側の取付台部と、
前記遊技機用基盤ボックス又は取付台部に突設した回転軸と、
取付台部又は遊技機用基盤ボックスに設けられ前記回転軸を往復移動自在に支持する誘導路と、
遊技機用基盤ボックスを取付台部上のセット位置に固定するロック手段と、を有し、
前記回転軸を誘導路に嵌めた状態でその回転軸を中心として遊技機用基盤ボックスを片開きドア状に回動させ得るようにすると共に、前記回転軸と誘導路の相対運動により遊技機用基盤ボックスをセット位置から遊技板の外方向に横移動させ得るようになし、
一方、前記防塵カバーの遊技機用基盤ボックス側の側面に開口を形成すると共にセット位置にある遊技機用基盤ボックスの側部が該開口から防塵カバー内に臨むようになし、さらに、遊技機用基盤ボックスのセット位置から遊技板の外方向への横移動によって遊技機用基盤ボックスの側部を防塵カバーの開口から抜き出すと共にその状態で遊技機用基盤ボックスを回動させるようにしたことを特徴とする遊技機。
【発明の詳細な説明】
【０００１】
【発明の属する技術分野】
本発明は、遊技機用基盤ボックス（以下単に基盤ボックスという。）を遊技機側の取付台部に取り付けるための取付構造及び遊技機に関する。
【０００２】
【従来の技術】
一般にパチンコ機などの遊技機の裏側には、入賞球処理装置や景品球排出装置などを集約設置した機構板（図１１符号７参照）がヒンジ金具により片開きドア状に回動し得る状態で取り付けられている。
【０００３】
ところで、現在、殆どの遊技機は、マイクロコンピューターを含む制御基盤で遊技内容が制御されている。この制御基盤は、図１５に示したように、四角い箱形の基盤ボックス１０４に収められており、遊技板１００の裏面を覆う裏カバー１０１に取り付けられている。通常、遊技板１００の中央には大型の表示装置や入賞装置が取り付けられていてそれが遊技板１００の裏側に大きく張り出しているため、基盤ボックス１０４は裏カバー１０１の側方に寄せた位置に取り付けられている。そうすると基盤ボックス１０４の端が機構板の端に被さってその動きを阻害する不都合が生ずるため、基盤ボックス１０４が片開きドア状に回動して機構板の移動ルートから退くようになっている。
【０００４】
【発明が解決しようとする課題】
周知のように遊技機の裏側には多くの部品が配置されていて部品同士が密集した状態になっている。基盤ボックス１０４の横には裏カバー１０１の防塵カバー１０３が隣接或いは一部が重なり合っているため、この防塵カバー１０３に影響を与えないで基盤ボックス１０４を回動させるようにするのが作業性の観点から望ましい。そこで従来は基盤ボックス１０４と取付台部の間に専用の蝶番金具を介装するようにしていたが、蝶番金具に余計なコストが掛かる問題点があった。
【０００５】
本発明は上記に鑑みなされたもので、その目的は、部品同士が密集した状況においても専用の蝶番金具を使うことなくスムーズに回動させることができる基盤ボックスの取付構造を提供することにある。
【０００６】
【課題を解決するための手段】
上記の目的を達成するため本発明は、遊技機用基盤ボックスを遊技機側の取付台部に取り付けるための取付構造であって、前記遊技機用基盤ボックス又は取付台部に突設した回転軸と、取付台部又は遊技機用基盤ボックスに設けられ前記回転軸を往復移動自在に支持する誘導路と、前記回転軸を誘導路内に出し入れするために該誘導路の途中の位置に開設した切り口と、遊技機用基盤ボックスを取付台部上のセット位置に固定するロック手段と、を有し、前記回転軸を誘導路に嵌めた状態でその回転軸を中心として遊技機用基盤ボックスを片開きドア状に回動させ得るようにすると共に、前記回転軸と誘導路の相対運動により遊技機用基盤ボックスをセット位置から遊技板の外方向に横移動させ得るようにした基盤ボックスの取付構造を提供する。
【０００７】
また、遊技板と、該遊技板の裏面に設けた防塵カバーと、遊技機用基盤ボックスと、該遊技機用基盤ボックスを取り付ける遊技機側の取付台部と、前記遊技機用基盤ボックス又は取付台部に突設した回転軸と、取付台部又は遊技機用基盤ボックスに設けられ前記回転軸を往復移動自在に支持する誘導路と、遊技機用基盤ボックスを取付台部上のセット位置に固定するロック手段と、を有し、前記回転軸を誘導路に嵌めた状態でその回転軸を中心として遊技機用基盤ボックスを片開きドア状に回動させ得るようにすると共に、前記回転軸と誘導路の相対運動により遊技機用基盤ボックスをセット位置から遊技板の外方向に横移動させ得るようになし、一方、前記防塵カバーの遊技機用基盤ボックス側の側面に開口を形成すると共にセット位置にある遊技機用基盤ボックスの側部が該開口から防塵カバー内に臨むようになし、さらに、遊技機用基盤ボックスのセット位置から遊技板の外方向への横移動によって遊技機用基盤ボックスの側部を防塵カバーの開口から抜き出すと共にその状態で遊技機用基盤ボックスを回動させるようにした遊技機を提供する。
【０００８】
基盤ボックスの回転軸（又は誘導路）と取付台部の誘導路（又は回転軸）の組み合わせにより、基盤ボックスの横移動と回動が可能になる。従って、基盤ボックスを他の部品と接触しない場所に移動させて回動させることができる。
【０００９】
【発明の実施形態１】
以下に本発明の実施形態１を図１〜図１１を参照しつつ説明する。なお、図１は遊技板を裏側から見た斜視図、図２は遊技板を裏側から見た正面図、図３は裏カバーの分解斜視図、図４は遊技板、基盤ボックス、防塵カバーを含む裏カバーの分解斜視図、図５はパチンコ機の横断平面図、図６は遊技板の要部を示す断面図、図７，図８は基盤ボックスの装着方法を説明する要部断面図、図９は鍵部材を示す基盤ボックスの要部斜視図、図１０は補助樋部材の一例を示す斜視図、図１１は遊技機を裏側から見た正面図である。
【００１０】
図５，図１１に示したようにパチンコ機などの遊技機Ｐは、四角い外枠１の前面に縦長長方形の前枠２を取り付けてなる。前枠２は、蝶番３を介して外枠１に取り付けられていて片開きドア状に回動し得る。前枠２は、長方形の窓穴（図示せず）を有する額縁形状であって、その裏側に桟部材４を介して遊技板５が取り付けられている。また、前枠２の裏側には桟部材４に取り付けたヒンジ具６を介して機構板７が取り付けられている。機構板７は、図１１に示したように、球タンク８、景品球案内樋９、景品球放出装置１０、景品球排出樋１１、入賞球集合樋１２、入賞球処理装置１３などの主要部品を集約設置したもので、前記ヒンジ具６を中心として片開きドア状に回動し得る。
【００１１】
前記遊技板５の裏側には図１に示したように裏カバー１４が取り付けられている。この裏カバー１４は、独立した二つのサイドカバー１４Ｌ，１４Ｒを主要構成部品とする。遊技板５の裏面に向かって右側のサイドカバー１４Ｒは合成樹脂の一体成型品であり、遊技板５に対向する腹面及び遊技板５の中心に向かう側面を開放させた浅箱形態であって、上下両側縁に遊技板５にビス止めするための取付片１５Ｒを一体に有し、また、背面一側に後述する防塵カバー１６用の軸受部１７を突設してなる。なお、前記取付片１５Ｒには遊技板５に形成したボス穴Ｈに嵌合する位置決め用のボス１８Ｒが突設されている。
【００１２】
一方、遊技板５の裏面に向かって左側のサイドカバー１４Ｌは、図３に示したように、金属製の主体部材１９と、その主体部材１９の上下にビス止めして一体化する合成樹脂製の取付部材２０とからなる。この取付部材２０は、前記サイドカバー１４Ｒの取付片１５Ｒと同様なボス１８Ｌ付きの取付片１５Ｌを一体に有する。また、主体部材１９は、遊技板５に対向する腹面及び遊技板５の中心に向かう側面を開放させた浅箱形態であって、背面に多数の透孔２１を穿設してなる。この透孔２１は、後述する基盤ボックス２２の放熱作用を奏し、また、サイドカバー１４Ｌと遊技板５の間で入賞球が詰まった場合などにピンを差し込んで球詰まりを解消させる用途に使用することができる。
【００１３】
上記した二つのサイドカバー１４Ｌ，１４Ｒは、遊技板５裏面の左右側辺寄りに夫々配置して両者の間隔を広く開け、取付片１５Ｌ，１５Ｒに木ネジを通して遊技板５に直付けする。二つのサイドカバー１４Ｌ，１４Ｒは、遊技板５に予め形成したボス穴Ｈに取付片１５Ｌ，１５Ｒのボス１８Ｌ，１８Ｒを嵌めて正確に位置決めされる。このサイドカバー１４Ｌ，１４Ｒ同士の間を設置領域として、図２二点鎖線のように大型の表示装置等２３を設置することができる。
【００１４】
なお、実施形態ではサイドカバー１４Ｌ，１４Ｒの間に合成樹脂製の防塵カバー１６が取り付けられる。この防塵カバー１６は、遊技板５と対向する側が開口する深箱形態であって、右側のサイドカバー１４Ｒに対向する側の側辺上下に下向きの回転ピン２４を有し、また、反対側の側辺上下に穴あき片２５を有する。そして、防塵カバー１６の回転ピン２４をサイドカバー１４Ｒの軸受部１７に差込み、また、防塵カバー１６の穴あき片２５とサイドカバー１４Ｌの取付部材２０に設けた受穴２６に着脱自在な公知のボタン型パネルファスナー（商品名「ナイラッチ：登録商標」）を差し込んで止める。
【００１５】
また、サイドカバー１４Ｌ，１４Ｒの下側には例えば図１０に示したような補助樋部材２７が遊技板５にビス止めされており、遊技板５の裏面に流れ込む入賞球を機構板７の前記入賞球集合樋１２に落下させる。なお、補助樋部材２７や入賞球集合樋１２などの入賞球が流れる経路に、前記主体部材１９と同様な球崩し用透孔２１を形成し、球詰まりが発生した場合にそこからピンを差し込んで球詰まりを解消させるようにするとよい。
【００１６】
ところで、前記サイドカバー１４Ｌには基盤ボックス２２を支持する取付台部としての機能があり、その機能を全うするために以下のような構造が備わっている。なお、基盤ボックス２２は、図４に示したように、ボックスベース２２ａとボックスカバー２２ｂの組み合わせであって、その上下両面の一コーナー部分（遊技板５の中心寄り且つ腹側）に回転軸２８，２８を突設してなり、内部に遊技内容を制御する制御装置（図示せず）を収めたものである。
【００１７】
先ず、第一にサイドカバー１４Ｌを基盤ボックス２２の取付台部とするため、上の取付部材２０の下縁と下の取付部材２０の上縁に前記基盤ボックス２２の回転軸２８を受け入れる誘導路２９が設けてある。この誘導路２９は、取付部材２０と主体部材１９の重なり部分に形成した下向き（下の取付部材２０では上向き）凹状の溝形態であり、水平且つ遊技板５の裏面と平行になっている。また、誘導路２９には中間位置に切り口３０が設けてあり、その切り口３０から回転軸２８を出し入れする。なお、切り口３０の位置はどこでも構わないが、好ましくは、回転軸２８を出し入れするに際して基盤ボックス２２が防塵カバー１６に接触しない場所がよい。そうすることにより、防塵カバー１６を開け閉めせずに回転軸２８を出し入れすることができる。
【００１８】
第二に、サイドカバー１４Ｌを基盤ボックス２２の取付台部とするため、サイドカバー１４Ｌに基盤ボックス２２固定用のロック手段３１が形成されている。ロック手段３１は、基盤ボックス２２側に設置した鍵部材３１ａと、サイドカバー１４Ｌの主体部材１９に開設した係止穴３１ｂと、主体部材１９の一側辺に立ち上げた止め板３１ｃとからなる。
【００１９】
基盤ボックス２２に付属する前記鍵部材３１ａは、ほぼ「Ｅ」字形態の合成樹脂板であって、図９に示したように、先端に鍵部３１ｄを有する主板３１ｅと、その主板３１ｅの両横に位置する支持板３１ｆとからなり、支持板３１ｆの中央部にビス３２を差し込んで基盤ボックス２２の腹面に取り付けられる。図８に示したように鍵部材３１ａと基盤ボックス２２の間には僅かな間隔が設けられていて、鍵部材３１ａの端部を図８矢示ｘ方向に押圧すると支持板３１ｆが撓んで鍵部３１ｄが基盤ボックス２２から離れる方向に浮き上がり、また、その押圧を解くと支持板３１ｆの弾性で初期状態に復帰する。
【００２０】
また、主体部材１９の係止穴３１ｂは前記鍵部材３１ａの鍵部３１ｄに対応するものであって、基盤ボックス２２が主体部材１９の止め板３１ｃに当接した状態で鍵部材３１ａの鍵部３１ｄが引っ掛かる。このように鍵部材３１ａの鍵部３１ｄが係止穴３１ｂに係合する位置が基盤ボックス２２のセット位置であり、この状態で基盤ボックス２２の回転軸２８は誘導路２９の端に位置している。
【００２１】
なお、言うまでもなくロック手段３１は上記の構造に限定されるものではなく、例えば、主体部材１９側に前記鍵部材３１ａに相当する部品を取り付け、それを基盤ボックス２２の縁に係合させるようにするなど、どのような構造であってもよい。
【００２２】
第三に、サイドカバー１４Ｌを基盤ボックス２２の取付台部とするため、サイドカバー１４Ｌの主体部材１９が導電性の金属で構成されている。そして、主体部材１９の上端に爪片３３を切り起こし、その爪片３３を上の取付部材２０の小窓３４から外部に突出させ、さらに爪片３３に端子ネジ３５を締め付ける。この端子ネジ３５に基盤ボックス２２のアース線を接続することにより、有害なノイズを主体部材１９で防止することができる。なお、遊技板５側に屈曲する主体部材１９の下側面１９ｚは、取付部材２０の樋面２０ｚに重なるようになっていて、入賞球に起因して発生するノイズも主体部材１９で防止することができる。
【００２３】
ちなみに従来は、基盤ボックス２２のノイズを防止するのに、基盤ボックス２２の裏側にノイズ対策用の導電プレートを別途取り付けるようにしていた。これに対して前記のように裏カバー１４自体を導電構造として基盤ボックス２２のノイズを防止させる手段を講ずるようにすれば、従来型の導電プレートが不要になってコスト削減に効果を発揮する。
【００２４】
次ぎにサイドカバー１４Ｌに対して基盤ボックス２２を着脱及び回動させる方法について説明する。先ず、図７のように基盤ボックス２２の上下の回転軸２８をサイドカバー１４Ｌの誘導路２９の切り口３０に通す。その際、基盤ボックス２２は図７二点鎖線のように主体部材１９の背面と平行を保って真っ直ぐ移動させるようにしてもよいし、同図一点鎖線のように斜めに傾けておいて最終的に主体部材１９に沿わせるようにしてもよい。なお、実施形態の切り口３０の位置は、基盤ボックス２２を前者の要領で真っ直ぐにして嵌めた場合に基盤ボックス２２の端が防塵カバー１６に接触しない設定となっている。従って、後者のように基盤ボックス２２を斜めに傾ける場合には予め防塵カバー１６を開いて基盤ボックス２２の邪魔にならないようにしておく必要がある。
【００２５】
次ぎに、図８矢示ｙのように基盤ボックス２２を主体部材１９の背面上でスライドさせる。このとき基盤ボックス２２の回転軸２８は誘導路２９に入ったまま移動する。そして、基盤ボックス２２の一側面が止め板３１ｃに当たると鍵部材３１ａの鍵部３１ｄが主体部材１９の係止穴３１ｂに自動的に引っ掛かり、鍵部材３１ａと止め板３１ｃにより基盤ボックス２２がセット位置で固定される。
【００２６】
しかして、基盤ボックス２２のセット位置は、表示装置等２３の設置領域を広く確保する必要から可能な限り遊技板５の端に寄せられている。その結果、基盤ボックス２２がセット位置にあるとき、図５のように、その一部が機構板７の縁に被さって同図二点鎖線で示した機構板７の移動ルートＲを完全に塞いでしまう。そこで、機構板７を回動させる前に、先ず図８矢示ｘのように鍵部材３１ａの端部を押圧して鍵部３１ｄを係止穴３１ｂから外し、その状態のまま基盤ボックス２２を遊技板５の外側に向けて引っ張り、回転軸２８が誘導路２９の他端に達したところで回転軸２８を中心に基盤ボックス２２を回動させ、図５一点鎖線のように垂直に立てる。そうすると、基盤ボックス２２が機構板７の前記移動ルートＲから外れるため、機構板７を全く不都合なく回動させることができる。また、基盤ボックス２２は、回転軸２８を移動させて防塵カバー１６から離れた誘導路２９の端に回転中心を移すようにしたため、防塵カバー１６を閉めたまま前記一連の作業が行える。そして、機構板７を閉じた後、再び基盤ボックス２２を回転させて図８矢示ｙ方向に押し込めば、前記のように鍵部材３１ａの鍵部３１ｄが主体部材１９の係止穴３１ｂに引っ掛かるため、基盤ボックス２２がセット位置に固定される。
【００２７】
なお、実施形態の遊技機Ｐ（パチンコ機）は、基盤ボックス２２のセット位置を従来よりさらに遊技板５の端に寄せるための工夫が施されている。すなわち、図５に示したように、前枠２の回動中心を中心にして外枠１の内側を通る仮想円弧Ｖを描く。そして、基盤ボックス２２の外枠１と対向する側の側面に前記仮想円弧Ｖと同一か又は近似する形態の肉欠所３６を形成し、基盤ボックス２２の側面が仮想円弧Ｖにほぼ内接するようにセット位置を設定する。こうすることにより、従来の単純な箱形の基盤ボックスに較べて、肉欠所３６を設けた分だけ基盤ボックス２２を遊技板５の端に寄せることができる。また、図５に示したように外枠１の内面にも肉欠所３７を形成すれば、前記仮想円弧Ｖを拡大することができるから、さらに基盤ボックス２２を遊技板５の端に寄せることができる。このように基盤ボックス２２の肉欠所３６と外枠１の肉欠所３７を抱き合わせで実施した場合に最も高い効果が得られるのであるが、外枠１の肉欠所３７を単独で実施することも可能である。その場合でも従来の単純な箱形の基盤ボックスを現状よりさらに遊技板５の端に寄せることができる。
【００２８】
【発明の実施形態２】
図１２〜図１４は本発明の実施形態２を示すものであり、図１２は要部の分解斜視図、図１３は基盤ボックスの装着状態を説明する断面図、図１４は基盤ボックスの回動状態を示す断面図である。
【００２９】
前記実施形態１は、基盤ボックス２２に回転軸２８を突設し、取付台部側に誘導路２９を形成したが、実施形態２は基盤ボックス２２の上下両面に溝状の誘導路２９を形成し、取付台部側に回転軸２８を突設するようにしたものである。なお、実施形態２のロック手段３１は、誘導路２９の端部に突設した半円形の小突起３１ｇと主体部材１９の止め板３１ｃである。
【００３０】
基盤ボックス２２の装着方法は、図１３に示したように、基盤ボックス２２の誘導路２９の切り口３０を回転軸２８に合わせて押し込み、その状態で図１４のように主体部材１９の止め板３１ｃに当たるまで基盤ボックス２２を横移動させればよい。基盤ボックス２２が止め板３１ｃに当たる直前で誘導路２９の小突起３１ｇが回転軸２８に衝突するが、強い力で基盤ボックス２２を押し込めば小突起３１ｇが瞬間的に変形して回転軸２８を乗り越える。この状態で誘導路２９の端に回転軸２８が嵌まり込み、また、他端が止め板３１ｃの爪３１ｈでクランプされるため、基盤ボックス２２がセット位置でロックされる。
【００３１】
次ぎに基盤ボックス２２を回動させる場合は、先ず図１４のように基盤ボックス２２を強い力で横向きに引張る。そうすると誘導路２９の小突起３１ｇが瞬間的に変形して回転軸２８の横を通り過ぎ、誘導路２９の他端に回転軸２８が当たって基盤ボックス２２が止まる。この状態で回転軸２８を中心に回動させれば基盤ボックス２２を垂直に起立させることができる。また、基盤ボックス２２を元のセット位置に戻す場合は、今と逆の操作を行えばよい。
【００３２】
【発明の効果】
本発明によれば、基盤ボックスと取付台部の夫々に設けた回転軸と誘導路の組み合わせにより、基盤ボックスの横移動と回動を可能にしたため、専用の蝶番金具を使わなくとも、基盤ボックスを他の部品と接触しない場所に移動させて回動させることができる。
【図面の簡単な説明】
【図１】  遊技板を裏側から見た斜視図である。
【図２】  遊技板を裏側から見た正面図である。
【図３】  裏カバーの分解斜視図である。
【図４】  遊技板、基盤ボックス、防塵カバーを含む裏カバーの分解斜視図である。
【図５】  パチンコ機の横断平面図である。
【図６】  遊技板の要部を示す断面図である。
【図７】  基盤ボックスの装着方法を説明する要部断面図である。
【図８】  基盤ボックスの装着方法を説明する要部断面図である。
【図９】  鍵部材を示す基盤ボックスの要部斜視図である。
【図１０】  補助樋部材の一例を示す斜視図である。
【図１１】  遊技機を裏側から見た正面図である。
【図１２】  要部の分解斜視図である。
【図１３】  基盤ボックスの装着状態を説明する断面図である。
【図１４】  基盤ボックスの回動状態を示す断面図である。
【図１５】  従来の遊技板を裏側から見た斜視図である。
【符号の説明】
Ｐ  …遊技機
５  …遊技板
１４Ｌ…サイドカバー（取付台部）
１６…防塵カバー
２２…基盤ボックス
２８…回転軸
２９…誘導路
３０…切り口
３１…ロック手段
【図１】
0003951399.tif 000002
【図２】
0003951399.tif 000003
【図３】
0003951399.tif 000004
【図４】
0003951399.tif 000005
【図５】
0003951399.tif 000006
【図６】
0003951399.tif 000007
【図７】
0003951399.tif 000008
【図８】
0003951399.tif 000009
【図９】
0003951399.tif 000010
【図１０】
0003951399.tif 000011
【図１１】
0003951399.tif 000012
【図１２】
0003951399.tif 000013
【図１３】
0003951399.tif 000014
【図１４】
0003951399.tif 000015
【図１５】
0003951399.tif 000016